(57)【要約】  【課題】釘調整のために釘師を雇う必要がなく、簡単で安定した釘調整を行うことができ、プロ、アマに関係なく平等に遊技できるパチンコ機用釘およびパチンコ機用釘調整具を提供する。  【解決手段】楕円釘１の軸部１１を断面楕円形に形成する。軸部１１の最小径φＤ１は、一般的なパチンコ機用釘（通常釘）の断面略円形の軸部と同径とし、軸部１１の最大径φＤ２は、最小径φＤ１よりも大きく、φＤ１＜φＤ２の関係にある。軸部１１の外周面における頭部１５の直後方に平切溝１３を形成する。平切溝１３に釘調整具のレンチを嵌合し、レンチを回転させて楕円釘１を回し調整することにより、釘調整を行う。  【効果】楕円釘１を回し調整するだけで、パチンコ球の流れを微妙に変化させることができる。このような釘調整は、熟練した釘師でなくとも行うことが可能である。前方側から遊技者が溝の角度を読み取ろうとした場合でも、平切溝１３が頭部１５に隠れて見えないので、楕円釘１の角度からパチンコ球の流れを予測することができない。【選択図】        図１
2006068447.tif 000002
【特許請求の範囲】
【請求項１】
パチンコ機のゲージ盤に取り付けられるパチンコ機用釘であって、
パチンコ球が接触しうる部分の少なくとも一部における軸線方向に直交する断面が楕円形状となっていることを特徴とするパチンコ機用釘。
【請求項２】
上記ゲージ盤に取り付けられる釘先部と、
この釘先部に連続する軸部と、
この軸部に上記釘先部と反対側に連続し、上記軸部よりも外径の大きい頭部とを含み、
上記軸部の少なくとも一部における軸線方向に直交する断面が楕円形状となっていることを特徴とする請求項１記載のパチンコ機用釘。
【請求項３】
上記軸部には、上記頭部との結合部近傍に、上記パチンコ機用釘を回し調整する際に調整具を嵌合させるための溝が形成されていることを特徴とする請求項２記載のパチンコ機用釘。
【請求項４】
上記溝は、互いに平行に形成された１対の第１平切溝を含むことを特徴とする請求項３記載のパチンコ機用釘。
【請求項５】
上記溝は、上記１対の第１平切溝にそれぞれ直交し、互いに平行に形成された１対の第２平切溝をさらに含むことを特徴とする請求項４記載のパチンコ機用釘。
【請求項６】
上記ゲージ盤に形成された凹部内に埋め込まれ、その内部に上記釘先部が嵌合またはねじ込まれるとともに、外面にローレットが形成された埋込部を含むことを特徴とする請求項２〜５のいずれかに記載のパチンコ機用釘。
【請求項７】
上記埋込部は、円形の外周面を有し、その円形の外周面の径が、上記楕円形状の断面の最小径よりも小さいことを特徴とする請求項６記載のパチンコ機用釘。
【請求項８】
上記釘先部は、上記ゲージ盤に貫通されて回転可能に保持され、
上記釘先部の上記軸部と反対側の端部に取り付けられ、上記パチンコ機用釘を回し調整する際に把持して回転させるための把持部を含むことを特徴とする請求項２〜５のいずれかに記載のパチンコ機用釘。
【請求項９】
上記釘先部は、上記ゲージ盤に貫通されて回転可能に保持され、
上記パチンコ機用釘を回し調整する際に、上記釘先部の上記軸部と反対側の端部に回転力を与えるためのモータを含むことを特徴とする請求項２〜５のいずれかに記載のパチンコ機用釘。
【請求項１０】
上記軸部は、上記頭部側および上記釘先部側がそれぞれ断面円形であり、それらの中間部が断面楕円形であることを特徴とする請求項２〜９のいずれかに記載のパチンコ機用釘。
【請求項１１】
上記楕円形状の断面は、その最小径が通常釘の径と同径またはその径よりも小さく、最大径が通常釘の径よりも大きいことを特徴とする請求項１〜１０のいずれかに記載のパチンコ機用釘。
【請求項１２】
パチンコ機用釘に嵌合させて、そのパチンコ機用釘を回し調整するためのパチンコ機用釘調整具であって、
互いに９０°に交叉する方向に向かって開放し、択一的にパチンコ機用釘に嵌合させることができる２つの嵌合溝を含むことを特徴とするパチンコ機用釘調整具。
【請求項１３】
上記パチンコ機用釘調整具は、長尺形状を有し、その長手方向の一端部に上記２つの嵌合溝の一方が形成され、他端部に上記２つの嵌合溝の他方が形成されていて、長手方向の両端部と中央部とは互いに平行に延びており、これらの両端部と中央部とがそれぞれ傾斜部で接続されることにより、各端部と中央部との間に段差が形成されていることを特徴とする請求項１２記載のパチンコ機用釘調整具。
【発明の詳細な説明】
【技術分野】
【０００１】
この発明は、パチンコ機のゲージ盤に取り付けられるパチンコ機用釘、およびパチンコ機用釘を回し調整するためのパチンコ機用釘調整具に関する。
【背景技術】
【０００２】
パチンコ機は、鉛直方向よりも上方に若干傾斜するように配置されたゲージ盤を備え、このゲージ盤の前面に沿って上方に向けてパチンコ球を発射させることにより、ゲージ盤の前面に沿って落下するパチンコ球を入賞孔に入れるなどして遊技を行うものである。ゲージ盤の前面には、多数本の釘が取り付けられており、ゲージ盤の前面に沿って落下するパチンコ球が釘に接触すると、パチンコ球の流れが変化するようになっている（たとえば、特許文献１参照）。
【０００３】
通常、入賞孔の入口には、２本の釘が左右方向に互いに一定間隔（パチンコ球が通過できる程度の間隔）を空けて配置されており、これらの釘は命釘と呼ばれている。また、ゲージ盤の左右方向中央の上部には、４本の釘が左右方向に互いに一定間隔（パチンコ球が通過できる程度の間隔）を空けて配置されており、これらの釘は天釘と呼ばれている。命釘や天釘の取付態様（取付角度など）は、入賞孔へのパチンコ球の入りやすさを決定するものであり、他の部分に取り付けられている釘と比較しても特に重要である。
【０００４】
そこで、パチンコ店では、定期的に釘師を雇い、ゲージ盤に取り付けられている釘の取付角度などを調整（釘調整）させることにより、入賞口へのパチンコ球の入りやすさなどを調整している。釘師は、たとえば、小型の金槌やペンチを用いて、釘の取り付け角度を調整したり、釘を曲げるなどして、釘調整を行う。このとき、釘師は、パチンコ球とほぼ同一形状を有する釘調整用のゲージ球を用いて、釘間の間隔を確認しつつ釘調整を行うこととなる。
【０００５】
図２４は、従来のパチンコ機用釘１´の一例を示す側面図である。
図２４に示すような従来から一般的に用いられているパチンコ機用釘（以下、「通常釘１´」と呼ぶ。）は、径φＤ３の断面円形の軸部１１´と、軸部１１´の後方に連続し、ゲージ盤に食い込まされる断面円形の釘先部１２´と、軸部１１´の前方に連続する頭部１５´とを含む。軸部１１´の前後方向中央部付近の外周面は、ゲージ盤に沿って落下するパチンコ球と接触する部分である。釘先部１２´は、軸部１１´の後方に滑らかに連続する円柱状部１２´ａと、円柱状部１２´ａの後方に連続し、後端に向かって先細りした円錐状部１２´ｂとを有し、円柱状部１２´ａおよび円錐状部１２´ｂの外周面には螺旋溝１２´ｃが形成されている。螺旋溝１２´ｃは、ゲージ盤に食い込んで、通常釘１´の緩みを防止する。
【特許文献１】特開平７−２７５４４７号公報
【発明の開示】
【発明が解決しようとする課題】
【０００６】
しかしながら、上記従来技術では、釘調整を行うためにわざわざ釘師を雇わなければならないため不経済であり、釘調整をパチンコ店の従業員等が行うことができれば、非常に経済的である。
また、たとえ熟練した釘師であっても、上記のような態様で釘調整を行うには時間を要し、釘師の癖も様々であるので、安定した釘調整を行うことができないおそれがある。
【０００７】
ゲージ盤の前方（釘の前方）には、通常、ガラス板がゲージ盤に対して平行に配置されており、遊技者が釘に触れることはできないようになっている。しかし、遊技者の中には、ガラス板の前方側から覗き見して、釘の取付角度や釘間の間隔などを確認することにより、入賞口にパチンコ球が入りやすいパチンコ機を選んで遊技を行う者がいる。釘の取付角度や釘間の間隔の差異は非常に微小なものではあるが、プロの遊技者などはその差異を的確に確認することができ、遊技を行う上で、アマチュアの遊技者よりもプロの遊技者の方が断然有利である。
【０００８】
本発明は、かかる背景のもとでなされたもので、その第１の目的は、釘調整のために釘師を雇う必要がないパチンコ機用釘およびパチンコ機用釘調整具を提供することである。
また、本発明の第２の目的は、簡単で安定した釘調整を行うことができるパチンコ機用釘およびパチンコ機用釘調整具を提供することである。
さらに、本発明の第３の目的は、プロ、アマに関係なく平等に遊技できるパチンコ機用釘およびパチンコ機用釘調整具を提供することである。
【課題を解決するための手段】
【０００９】
上記目的を達成するための請求項１記載の発明は、パチンコ機のゲージ盤に取り付けられるパチンコ機用釘であって、パチンコ球が接触しうる部分の少なくとも一部における軸線方向に直交する断面が楕円形状となっていることを特徴とするパチンコ機用釘である。
この構成によれば、上記パチンコ機用釘を回し調整することにより、楕円形状の断面を有する部分の角度を変化させて、この部分に接触するパチンコ球の流れを微妙に変化させることができる。したがって、パチンコ機用釘を回し調整するだけで、簡単で安定した釘調整を行うことができるとともに、このような釘調整は、熟練した釘師でなくとも行うことが可能であるので、釘調整のために釘師を雇う必要がなく、経済的である。
【００１０】
請求項２記載の発明のように、上記ゲージ盤に取り付けられる釘先部と、この釘先部に連続する軸部と、この軸部に上記釘先部と反対側に連続し、上記軸部よりも外径の大きい頭部とを含み、上記軸部の少なくとも一部における軸線方向に直交する断面が楕円形状となっていてもよい。
請求項３記載の発明は、上記軸部には、上記頭部との結合部近傍に、上記パチンコ機用釘を回し調整する際に調整具を嵌合させるための溝が形成されていることを特徴とする請求項２記載のパチンコ機用釘である。
【００１１】
この構成によれば、溝に調整具を嵌合させて回し調整するだけで、簡単で安定した釘調整を行うことができるとともに、このような釘調整は、熟練した釘師でなくとも行うことが可能であるので、釘調整のために釘師を雇う必要がなく、経済的である。
また、軸部における頭部との結合部近傍に溝が形成されているので、前方側から遊技者が溝の角度を読み取ろうとした場合でも、溝が頭部に隠れて見えないようにすることができる。したがって、パチンコ機用釘の角度からパチンコ球の流れを予測することができないため、プロ、アマに関係なく平等に遊技できる。
【００１２】
請求項４記載の発明は、上記溝は、互いに平行に形成された１対の第１平切溝を含むことを特徴とする請求項３記載のパチンコ機用釘である。
この構成によれば、１対の第１平切溝に調整具を嵌合させて回し調整するだけで、簡単で安定した釘調整を行うことができるとともに、このような釘調整は、熟練した釘師でなくとも行うことが可能であるので、釘調整のために釘師を雇う必要がなく、経済的である。
【００１３】
請求項５記載の発明は、上記溝は、上記１対の第１平切溝にそれぞれ直交し、互いに平行に形成された１対の第２平切溝をさらに含むことを特徴とする請求項４記載のパチンコ機用釘である。
この構成によれば、調整具を用いて回し調整を行う際には、１対の第１平切溝または１対の第２平切溝のうち勝手のよい方に調整具を嵌合させればよい。したがって、さらに簡単で安定した釘調整を行うことができる。
【００１４】
請求項６記載の発明は、上記ゲージ盤に形成された凹部内に埋め込まれ、その内部に上記釘先部が嵌合またはねじ込まれるとともに、外面にローレットが形成された埋込部を含むことを特徴とする請求項２〜５のいずれかに記載のパチンコ機用釘である。
この構成によれば、埋込部に釘先部が嵌合またはねじ込まれたパチンコ機用釘を回転させることにより、埋込部の外面に形成されたローレットをゲージ盤の凹部に摺接させ、釘調整を行うことができる。したがって、パチンコ機用釘を回し調整するだけで、簡単で安定した釘調整を行うことができるとともに、このような釘調整は、熟練した釘師でなくとも行うことが可能であるので、釘調整のために釘師を雇う必要がなく、経済的である。また、埋込部の外面に形成されたローレットがゲージ盤の凹部に食い込んでいるので、パチンコ機用釘にパチンコ球が当たったときに、埋込部が回転して緩むことがない。
【００１５】
釘先部が埋込部に対して硬目嵌合または硬目ねじ込みされていれば、このパチンコ機用釘にパチンコ球が当たって、調整した角度位置が変わるのを防止できる。また、埋込部には、嵌合またはねじ込まれた釘先部の緩み止めのための機構が備えられていてもよい。
請求項７記載の発明は、上記埋込部は、円形の外周面を有し、その円形の外周面の径が、上記楕円形状の断面の最小径よりも小さいことを特徴とする請求項６記載のパチンコ機用釘である。
【００１６】
この構成によれば、埋込具の外周面の径が、軸部の楕円形状の断面の最小径よりも小さいので、ゲージ盤の前方側から見たときに埋込具が隠れており、遊技者には、パチンコ機用釘がどの角度に調整されているか分からない。したがって、パチンコ機用釘の角度からパチンコ球の流れを予測することができないため、プロ、アマに関係なく平等に遊技できる。
【００１７】
請求項８記載の発明は、上記釘先部は、上記ゲージ盤に貫通されて回転可能に保持され、上記釘先部の上記軸部と反対側の端部に取り付けられ、上記パチンコ機用釘を回し調整する際に把持して回転させるための把持部を含むことを特徴とする請求項２〜５のいずれかに記載のパチンコ機用釘である。
この構成によれば、把持部を把持して回転させるだけで、簡単で安定した釘調整を行うことができるとともに、このような釘調整は、熟練した釘師でなくとも行うことが可能であるので、釘調整のために釘師を雇う必要がなく、経済的である。また、パチンコ機用釘を裏側から回し調整することができるので、ガラス板を開放する手間がなく、より簡単に釘調整を行うことができる。
【００１８】
釘先部の外周面にはローレットが形成されていることが好ましい。ゲージ盤に貫通された円筒状のブッシュを備え、このブッシュ内に釘先部が締り嵌めされていてもよい。
請求項９記載の発明は、上記釘先部は、上記ゲージ盤に貫通されて回転可能に保持され、上記パチンコ機用釘を回し調整する際に、上記釘先部の上記軸部と反対側の端部に回転力を与えるためのモータを含むことを特徴とする請求項２〜５のいずれかに記載のパチンコ機用釘である。
【００１９】
この構成によれば、モータを回転制御するだけで、パチンコ機用釘の回し調整を行うことができるので、釘師を雇う必要がなく、経済的である。モータとして、ステッピングモータや直流モータを採用すれば、安定した釘調整を行うことができる。モータを回転制御するための制御部（制御回路）と、設定値入力部とを備え、設定値入力部で予め入力された設定値を基準に制御部でモータを回転制御するような構成とすれば、パチンコ機用釘の回し調整を自動で行うことができる。
【００２０】
ゲージ盤に貫通された円筒状のブッシュを備え、このブッシュ内に釘先部がすき間嵌めされていてもよい。
請求項１０記載の発明は、上記軸部は、上記頭部側および上記釘先部側がそれぞれ断面円形であり、それらの中間部が断面楕円形であることを特徴とする請求項２〜９のいずれかに記載のパチンコ機用釘である。
【００２１】
この構成によれば、ゲージ盤の前面に軸部の釘先部側の端面が食い込んだ状態で、その食い込んだ部分を遊技者が前方側から見た場合でも、その端面形状が円形であるので、遊技者には、パチンコ機用釘がどの角度に調整されているか分からない。したがって、パチンコ機用釘の角度からパチンコ球の流れを予測することができないため、プロ、アマに関係なく平等に遊技できる。
【００２２】
請求項１１記載の発明は、上記楕円形状の断面は、その最小径が通常釘の径と同径またはその径よりも小さく、最大径が通常釘の径よりも大きいことを特徴とする請求項１〜１０のいずれかに記載のパチンコ機用釘である。
この構成によれば、楕円形状の断面の最小径が左右方向に沿った状態では、その側方を通過するパチンコ球を、通常釘の場合と同程度に通過しやすくすることができ、この状態からパチンコ機用釘を回転させて傾斜させると、該パチンコ機用釘の左右方向の幅が徐々に大きくなり、その側方を通過するパチンコ球を通過しにくくすることができる。したがって、パチンコ機用釘を回し調整するだけで、パチンコ球の流れを微妙に変化させることができる。
【００２３】
請求項１２記載の発明は、パチンコ機用釘に嵌合させて、そのパチンコ機用釘を回し調整するためのパチンコ機用釘調整具であって、互いに９０°に交叉する方向に向かって開放し、択一的にパチンコ機用釘に嵌合させることができる２つの嵌合溝を含むことを特徴とするパチンコ機用釘調整具である。
この構成によれば、２つの嵌合溝のいずれかを選択して、パチンコ機用釘に嵌合させることにより、死角なしに、どの角度からでも嵌合溝をパチンコ機用釘に嵌合して回し調整を行うことができる。したがって、簡単で安定した釘調整を行うことができるとともに、このような釘調整は、熟練した釘師でなくとも行うことが可能であるので、釘調整のために釘師を雇う必要がなく、経済的である。
【００２４】
請求項１３記載の発明は、上記パチンコ機用釘調整具は、長尺形状を有し、その長手方向の一端部に上記２つの嵌合溝の一方が形成され、他端部に上記２つの嵌合溝の他方が形成されていて、長手方向の両端部と中央部とは互いに平行に延びており、これらの両端部と中央部とがそれぞれ傾斜部で接続されることにより、各端部と中央部との間に段差が形成されていることを特徴とする請求項１２記載のパチンコ機用釘調整具である。
【００２５】
この構成によれば、２つの嵌合溝のいずれかをパチンコ機用釘に嵌合して回し調整を行う際に、隣の釘（の頭部）にパチンコ機用釘調整具が接触するのを防止できるとともに、回し調整の回し角を広くすることができる。したがって、さらに簡単で安定した釘調整を行うことができる。
【発明を実施するための最良の形態】
【００２６】
以下、本発明の実施の形態を、添付図面を参照しながら詳細に説明する。
−第１の実施形態−
図１は、本発明の第１の実施形態に係る楕円釘１の側面図である。図２は、図１のＡ−Ａ断面図である。図３は、図１のＢ−Ｂ断面図である。この楕円釘１は、パチンコ機のゲージ盤の前面に取り付けられ、ゲージ盤の前面に沿って落下するパチンコ球を接触させて、その流れを変化させるためのものである。
【００２７】
図１において楕円釘１は、断面楕円形の軸部１１と、軸部１１の後方に連続し、ゲージ盤に食い込まされる断面円形の釘先部１２と、軸部１１の前方に連続する頭部１５とを含む。軸部１１の外周面には、頭部１５の直後方に、１対の平切溝１３が互いに平行に形成されている。頭部１５の前端面は、平面または鍋状の凸湾曲面となっている。平切溝１３には、この楕円釘１を回し調整するための釘調整具のレンチの溝を挿入嵌合できる。軸部１１の前後方向中央部付近の外周面は、ゲージ盤に沿って落下するパチンコ球と接触する部分である。釘先部１２は、軸部１１の後方に連続し、軸部１１よりも外径が小さく形成されることにより軸部１１との間に段差を形成する円柱状部１２ａと、円柱状部１２ａの後方に連続し、後端に向かって先細りした円錐状部１２ｂとを有し、円柱状部１２ａおよび円錐状部１２ｂの外周面には螺旋溝１２ｃが形成されている。螺旋溝１２ｃは、ゲージ盤に食い込んで、楕円釘１の緩みを防止する。
【００２８】
楕円釘１の軸部１１の最小径φＤ１は、図２４に示す通常釘１´の断面略円形の軸部１１´と同径（φ１．８５ｍｍ＋０．０００，−０．０２５）である。楕円釘１の軸部１１の最大径φＤ２は、最小径φＤ１よりも大きく、φＤ１＜φＤ２の関係にある。１対の平切溝は１３は、それぞれ、最大径φＤ２の径方向に延びるように形成されている。楕円釘１を回し調整することにより、楕円形状の断面を有する軸部１１の角度を変化させて、この部分に接触するパチンコ球の流れを微妙に変化させることができる。したがって、楕円釘１を回し調整するだけで、簡単で安定した釘調整を行うことができるとともに、このような釘調整は、熟練した釘師でなくとも行うことが可能であるので、釘調整のために釘師を雇う必要がなく、経済的である。
【００２９】
図４は、平切溝１３の変形例を示す断面図である。図４に示すように、軸部１１の外周面には、頭部１５の直後方に、互いに平行な１対の平切溝１３ａと、これらの１対の平切溝１３ａに直交し、互いに平行な１対の平切溝１３ｂとが形成されていてもよい。この場合、頭部１５の直後方における軸部１１の外周面は、断面矩形状となる。レンチを用いて回し調整を行う際には、１対の平切溝１３ａまたは１対の平切溝１３ｂのうち勝手のよい方にレンチの溝を挿入嵌合すればよい。
【００３０】
図５は、釘調整具を示すレンチ２の平面図である。図６は、該釘調整具を示すレンチ２の側面図である。図７は、該釘調整具を示すレンチ２が楕円釘１の平切溝１３に挿入嵌合された状態を示す側面図であって、その一部を断面図で示している。
レンチ２は、例えば鋼鉄（炭素鋼Ｓ５５Ｃ）により形成された長尺形状の部材であり、その長手方向の両端部には、それぞれ楕円釘１の平切溝１３に嵌合させるための溝２ａ，２ｂが形成されている。２つの溝２ａ，２ｂは、互いに９０°に交叉する方向に向かって開放している。したがって、２つの溝２ａ，２ｂのいずれかを選択して平切溝１３に嵌合させることにより、死角なしに、どの角度からでも平切溝１３に挿入嵌合できる。２つの溝２ａ，２ｂが形成されたレンチ２の両端部は、それぞれ、正面視で楕円釘１の頭部１５の径よりも小さい外形を有しており、平切溝１３に溝２ａまたは溝２ｂを嵌合させた状態で、該端部が頭部１５の外方にはみ出さない形状となっている。これにより、楕円釘１を回し調整する際に、レンチ２が隣の釘と接触するのを防止できる。
【００３１】
図６に示すように、レンチ２の長手方向の両端部と中央部とは互いに平行に延びており、これらの両端部と中央部とがそれぞれ傾斜部２ｃで接続されることにより、各端部と中央部との間に段差２ｄが形成されている。これらの段差２ｄにより、図７に示すように平切溝１３に溝２ａまたは溝２ｂを嵌合させて楕円釘１を回し調整する際に、隣の楕円釘（の頭部）にレンチ２が接触するのを防止できるとともに、回し調整の回し角を広くすることができるようになっている。レンチ２の長手方向の両端部は、図６に実線で示すように、レンチ２の中央部に対して逆方向にずれた構成に限らず、図６に破線で示すように、レンチ２の中央部に対して同方向にずれた構成であってもよい。この場合、レンチ２の長手方向の両端部が同一直線上に位置していてもよい。
【００３２】
図８は、レンチ２の第１変形例を示す側面図であって、その一部を断面図で示している。図８に示すレンチ２の少なくとも一方の端部には、楕円釘１の平切溝１３に嵌合される第１嵌合部２１と、軸部１１に嵌合される第２嵌合部２２と、頭部１５に嵌合される第３嵌合部２３とを有する溝が形成されている。
図９は、レンチ２の第２変形例を示す側面図であって、その一部を断面図で示している。図９では、楕円釘１の釘先部１２が、ベニヤ板により形成されたゲージ盤３の前面に食い込んでいる。図９に示すレンチ２の少なくとも一方の端部には、楕円釘１の平切溝１３に嵌合される第１嵌合部２１ａと、軸部１１に嵌合される第２嵌合部２２ａとを有する溝が形成されている。
【００３３】
レンチ２の溝２ａ，２ｂの周縁部は、焼き入れにより硬化されるなどして、磨耗を少なくするための処理が施されていることが好ましい。溝２ａ，２ｂの使い分けとしては、一方の溝を平切溝１３に嵌合させて回し調整をし、回し角がいっぱいになれば、他方の溝を平切溝１３に嵌合させて回し調整をすればよい。楕円釘１の軸部１１の最大径φＤ２の径方向が回し角の範囲内にあるときには、レンチ２の溝２ａを平切溝１３に挿入嵌合させれば、レンチ２を回し角の範囲内で楕円釘１に嵌合させることができる。一方、楕円釘１の軸部１１の最小径φＤ１の径方向が回し角の範囲内にあるときには、レンチ２の溝２ｂを平切溝１３に挿入嵌合させれば、レンチ２を回し角の範囲内で楕円釘１に嵌合させることができる。
【００３４】
図１０は、楕円釘１の平切溝１３にレンチ２の溝２ａを挿入嵌合し、回し調整を行う態様を示す正面図である。図１０に示す状態で、レンチ２の他端側（溝２ｂが形成されている側）を握って矢印７の方向に回し調整を行えば、楕円釘１の角度の微調整を安定して行うことができる。図１０に示すように、溝２ａが形成されたレンチ２の端部は、正面視で楕円釘１の頭部１５の径よりも小さい外形を有しており、平切溝１３に溝２ａを嵌合させた状態で、該端部が頭部１５の外方にはみ出さない形状となっている。
【００３５】
図１１は、ゲージ盤３にブッシュ５１を埋め込み、このブッシュ５１に楕円釘１を挿入嵌合した構成を示す断面図である。図１２は、図１１の矢印Ｆ−Ｆに沿って見たツマミ１６の背面図である。ゲージ盤３に取り付けられた楕円釘１の前方側には、２枚のガラス板３３が互いに一定間隔を空けてゲージ盤３に対して平行に配置されている。
ブッシュ５１は、ほぼ円筒状であって、ゲージ盤３に形成された貫通孔内に嵌め込まれて、該貫通孔を貫通している。図１１に示す楕円釘１では、釘先部１２に相当する部分が、ブッシュ５１の前後方向の長さ（ゲージ盤３の厚み）よりも長い円柱状のボス１２ｆとなっている。ボス１２ｆの外周面にはローレット（ギザギザ形状）が形成されていて、その直径は、楕円釘１の軸部１１の最小径φＤ１よりもわずかに小さい。ボス１２ｆは、ブッシュ５１に締り嵌めされ、その先端部に回し調整を行うためのツマミ１６が固着配設されている。ツマミ１６の背面には、楕円釘１の軸部１１の最大径φＤ２の径方向に延びる矢印１７が描かれており、ツマミ１６を矢印７の方向に回して矢印１７の角度を調整することにより、ゲージ盤３の裏側から回し調整を行うことができる。したがって、ガラス板３３を開放する手間がなく、より簡単に釘調整を行うことができる。このような釘調整は、熟練した釘師でなくとも行うことが可能であるので、釘調整のために釘師を雇う必要がなく、経済的である。
【００３６】
また、上述したのと同様の態様で、平切溝１３にレンチ２の溝２ａまたは溝２ｂを挿入嵌合すれば、ゲージ盤３の表側からも回し調整を行うことができる。つまり、この構成によれば、ゲージ盤３の表裏両側から回し調整を行うことができる。
図１３は、ゲージ盤３に埋込金具５を埋め込み、この埋込金具５に楕円釘１を挿入嵌合した構成を示す断面図である。図１４は、埋込金具５の正面図である。
【００３７】
埋込金具５は、円柱状の外形を有し、その外周面にはローレット５ａが形成されている。ゲージ盤３の前面には、埋込金具５よりも小径の凹部３１が形成されており、この凹部３１内に埋込金具５が圧入されている。埋込金具５の前面の中心部には、ネジ孔５ｂまたは嵌合用のボス孔５ｃが形成されている。埋込金具５の外周面の径は、軸部１１の最小径φＤ１よりも小さく、これにより、ゲージ盤３の前方側から見たときに埋込金具５が隠れており、遊技者には、楕円釘１がどの角度に調整されているか分からない。したがって、楕円釘１の角度からパチンコ球の流れを予測することができないため、プロ、アマに関係なく平等に遊技できる。
【００３８】
図１３のように、楕円釘１の釘先部１２に相当する部分をボス１２ｆとした場合には、埋込金具５の前面の中心部にはボス孔５ｃを形成し、ボス１２ｆをボス孔５ｃに硬目嵌合させることが好ましい。楕円釘１の釘先部１２に相当する部分は、円柱状のボス１２ｆに限らず、外周面にねじ山が切られた円錐状のタッピングビスや、外周面にねじ山が切られた円柱状のネジなどであってもよい。釘先部１２に相当する部分をネジとした場合には、埋込金具５の前面の中心部にはネジ孔５ｂを形成し、ネジをネジ孔５ｂに硬目ねじ込みさせることが好ましい。楕円釘１をボス孔５ｃに硬目嵌合またはネジ孔５ｂに硬目ねじ込みさせることにより、楕円釘１にパチンコ球が当たって、調整した角度位置が変わるのを防止できる。
【００３９】
図１５は、ネジ孔５ｂにねじ込んだ楕円釘１の緩み止めの態様を示す埋込金具５の正面図である。図１５に示す埋込金具５には、互いに対面する１対の締付部５ｄを有する正面視略Ｕ字状のピン５ｆが、ネジ孔５ｂに沿って埋設されている。１対の締付部５ｄの間隔は、楕円釘１の釘先部１２に相当する部分に形成されたネジの径より短い。したがって、ネジ孔５ｂにねじ込まれたネジの溝を１対の締付部５ｄで両側から締め付けて、緩み止めをすることができる。ピン５ｆの材質は、例えば、ピアノ線やリン青銅等のばね性を有するものが好ましい。
【００４０】
ただし、ピン５ｆは、１対の締付部５ｄを有する平面視略Ｕ字状の形状に限らず、１つの締付部を構成する１枚の平板状の形状を有していてもよい。この場合、ネジ孔５ｂにねじ込まれたネジの溝を１つの締付部で片側からだけ締め付けて、緩み止めをすることができる。
図１６は、モータＭを用いて楕円釘１の回し調整を行う構成を示す断面図である。図１６に示す楕円釘１には平切溝１３が形成されているが、この変形例の構成によれば、平切溝１３が形成されていない楕円釘の回し調整を行うことも可能である。
【００４１】
楕円釘１の釘先部１２に相当する部分は、ゲージ盤３の厚みよりも長い円柱状のモータ取付軸１２ｇとなっている。ゲージ盤３には、図１１と同様の態様でブッシュ５１ａが埋設され、該ブッシュ５１ａに、モータ取付軸１２ｇが、わずかの隙間をもってすき間嵌めされている。モータＭは、モータ取付用のタッピングビスＴによりゲージ盤３の裏面に固着されている。モータＭの軸とモータ取付軸１２ｇとは、例えばネジ止め等により同軸固着されている。
【００４２】
モータＭとしては、例えば、ステッピングモータや直流モータを採用できる。楕円釘１の回し調整を行う際には、例えば、プッシュスイッチやシーメンススイッチなどを押すごとに、ステッピングモータでは１ステップ回転され、直流モータでは１ポール回転されるような回転制御が行われるようになっていてもよい。さらに逆転スイッチを設ければ、正転または逆転の回転制御を行うことができる。
【００４３】
また、楕円釘１の回し調整を制御回路を用いて自動で行うことも可能である。この場合、例えば、可変ボリューム、ポテンシャルスイッチ、回転スイッチ等の確率ツマミ（設定値入力部）を設け、該確率ツマミとモータＭとの間に制御回路を設けて、確率ツマミで予め入力された設定値を基準にモータＭを回転制御してもよい。設定値入力部を、確率ツマミに加えて、誘導ツマミや跳ね返りツマミなどを備えた構成として、さらに微調整を行うことができるようにしてもよい。楕円釘１の回し調整を自動で行うことができれば、釘師を雇う必要がなく、経済的である。
【００４４】
図１７は、モータＭおよびギアＧ１，Ｇ２を用いて楕円釘１の回し調整を行う構成を示す背面図である。
楕円釘１の釘先部１２に相当する部分は、図１６の場合と同様に、ゲージ盤３の厚みよりも長い円柱状のモータ取付軸１２ｇとなっている。ゲージ盤３にはブッシュ５１ａが埋設され、該ブッシュ５１ａに、モータ取付軸１２ｇが、わずかの隙間をもってすき間嵌めされている。ギアＧ１はモータ取付軸１２ｇに固着され、ギアＧ２はモータＭの軸に固着され、ギアＧ１とギアＧ２は互いに噛み合っている。ギアＧ１の歯数とギアＧ２の歯数は、Ｇ１＞Ｇ２の関係にあり、ギアＧ１の歯数がギアＧ２の歯数と比較して多いほど、モータＭのトルクが小さくて済む。ギアＧ１，Ｇ２を用いて回し調整を行うような構成によれば、モータＭを小型化できる。モータＭとして、例えばステッピングモータを採用する場合には、小型でステップ角の大きなモータを採用できる。また、モータＭとして、例えば直流モータを採用する場合には、小型でポール数の少ないモータを採用できる。
【００４５】
この変形例のような構成において、設定値入力部および制御回路を設けて、図１６で説明したような態様でモータＭを自動で回転制御すれば、図１６のような構成と比較してさらに微調整を行うことができる。また、ギアＧ１，Ｇ２およびモータＭを用いた構成の場合、各部材の形状や取付位置に誤差が生じているときでも、各部材を簡単に取り付けることができる。さらに、楕円釘１がゲージ盤３の所定位置に多数配置されている場合など、図１６のように楕円釘１にモータＭを直接取り付けるスペースがない場合でも、その所定位置の外側の空きスペースにモータＭを配設し、ギアＧ１，Ｇ２を介してモータＭを楕円釘１に連結することができるので有利である。モータＭと楕円釘１とを連結するギアの数は、２つに限らず、１つであってもよいし、３つ以上であってもよい。
【００４６】
図１８は、楕円釘１の変形例を示す側面図である。この楕円釘１の軸部１１は、頭部１５側および釘先部１２側がそれぞれ断面円形であり、それらの中間部１１ａ（パチンコ球と接触する部分）が断面楕円形となっている。釘先部１２は円柱状であり、その外周面にネジ１２ｅが切られている。
中間部１１ａのＣ−Ｃ断面は、図２で示したのと同様の断面形状となっている。軸部１１の頭部１５側のＤ−Ｄ断面、および釘先部１２側のＥ−Ｅ断面は、それぞれ、図２４に示す通常釘１´の軸部１１´と同径である。したがって、ゲージ盤３の前面に楕円釘１の軸部１１の釘先部１２側の端面が食い込んだ状態で、その食い込んだ部分を遊技者が前方側から見た場合でも、その端面形状が円形であるので、遊技者には、楕円釘１がどの角度に調整されているか分からない。
【００４７】
図１９は、楕円釘１の平切溝１３を遊技者が前方側から見ようとしたときの遊技者の目３５と平切溝１３との位置関係を示す側面図である。
ゲージ盤３に取り付けられた楕円釘１の前方側には、２枚のガラス板３３が互いに一定間隔を空けてゲージ盤３に対して平行に配置されている。遊技者が、ガラス板３３の前方側から目３５で覗き見して、平切溝１３の角度を読み取ろうとした場合でも、頭部１５の直後方に平切溝１３が切られているので、図１９に示すように、平切溝１３が頭部１５に隠れて見えないようになっている。したがって、楕円釘１の角度からパチンコ球の流れを予測することができないため、プロ、アマに関係なく平等に遊技できる。
【００４８】
−第２の実施形態−
図２０は、本発明の第２の実施形態に係る楕円釘１のゲージ盤３に対する配置態様を示す正面図である。ただし、図２０では、ゲージ盤３を省略して示している。楕円釘１の近傍に示す矢印は、その楕円釘１の最大径φＤ２の径方向を示している（以下同様）。
この実施形態では、ゲージ盤３の前面には、天釘として、楕円釘１と通常釘１´（図２４に示す構成のもの）とが組み合わせられた計４本の釘が、左右方向に互いに一定間隔（パチンコ球Ｐが通過できる程度の間隔）を空けて配置されている。４本の天釘のうち、左端の１本および右側の２本は通常釘１´であり、左端から２番目の釘は楕円釘１である。ゲージ盤３の天釘の下方には、入賞孔６（たとえば、スタートチャッカ）が配置されており、この入賞孔６の入口の左右両側には、命釘として、２本の楕円釘１が左右方向に互いに一定間隔（パチンコ球Ｐが通過できる程度の間隔）を空けて配置されている。
【００４９】
ゲージ盤３の前面に沿って上方に向けて発射されたパチンコ球Ｐは、通常、放物線８を描いて左上方から天釘に至ることとなる。天釘である楕円釘１とこれに隣接する通常釘１´との間に至ったパチンコ球Ｐは、楕円釘１の角度によって、これらの釘間を通過したり、所定方向に誘導されたり、跳ね返されたりする。したがって、天釘である楕円釘１の角度を調整することにより、天釘から命釘へのパチンコ球Ｐの向かいやすさ（ひいては、入賞孔６へのパチンコ球Ｐの入りやすさ）を調整することができる。図２０に示すように、天釘である楕円釘１の最大径φＤ２の径方向が上下方向を向いている状態では、この楕円釘１の最小径φＤ１とこれに隣接する通常釘１´の径φＤ３の位置関係により、これらの釘間の間隔が最も開いた状態となり、パチンコ球Ｐが通過しやすい。
【００５０】
天釘である楕円釘１を図２０に示す状態から回し調整した場合、矢印７の左方向に回し、楕円釘１の最大径φＤ２の径方向が上下方向に対して３０°〜４５°程度傾斜した状態では、この楕円釘１とその左方にある通常釘１´との間を通過したパチンコ球Ｐが、入賞孔６側（右側）に誘導され、入賞孔６に入りやすくなる。しかし、楕円釘１の最大径φＤ２の径方向を４５°よりも大きく左方向に傾斜させると、この楕円釘１とその左方にある通常釘１´との間隔が狭くなり、これらの釘間に至ったパチンコ球Ｐは跳ね返されることとなる。逆に、天釘である楕円釘１を図２０に示す状態から矢印７の右方向に回した場合、楕円釘１の最大径φＤ２の径方向が上下方向に対して３０°〜４５°程度傾斜した状態では、この楕円釘１とその左方にある通常釘１´との間をパチンコ球Ｐが通過することができるが、それ以上右方向に傾斜させると、これらの釘間に至ったパチンコ球Ｐが跳ね返される確率が高くなる。
【００５１】
天釘間を通過し、命釘である２本の楕円釘１の間に至ったパチンコ球Ｐは、楕円釘１の角度によって、これらの釘間を通過したり、所定方向に誘導されたり、跳ね返されたりする。したがって、命釘である楕円釘１の角度を調整することにより、入賞孔６へのパチンコ球Ｐの入りやすさを調整することができる。
図２１は、命釘として楕円釘１および通常釘１´を配置した状態を示す正面図である。左側に配置された通常釘１´は、曲げられたり変形されたりすることなく、無調整状態でゲージ盤３に垂直に取り付けられている。したがって、右側に配置された楕円釘１を回し調整することにより、パチンコ球Ｐの入賞孔６への入りやすさを調整することができる。命釘である楕円釘１の最大径φＤ２の径方向が、図２１に示す状態ように上下方向に対して９０°傾斜した状態（左右方向に沿った状態）では、命釘間の間隔が最も狭く、その間隔はパチンコ球Ｐの径と同程度である。この状態では、パチンコ球Ｐが命釘間を通過して入賞孔６に入る確率は低く、パチンコ球Ｐの中心が命釘間のほぼ中心を通過しなければ、パチンコ球Ｐが入賞孔６に入らない。
【００５２】
命釘である楕円釘１を図２１に示す状態から回し調整した場合、矢印７の上方向に回し、楕円釘１の最大径φＤ２の径方向が左右方向に対して３０°〜４５°程度傾斜した状態では、命釘間に至るパチンコ球Ｐが入賞孔６側に誘導されて、入賞孔６に入りやすくなる。そして、楕円釘１の最大径φＤ２の径方向を４５°よりも大きく上方向に傾斜（４５°〜９０°）させると、命釘間の間隔が徐々に広がり、パチンコ球Ｐが入賞孔６に入る確率がさらに高くなる。逆に、命釘である楕円釘１を図２１に示す状態から矢印７の下方向に回した場合、楕円釘１の最大径φＤ２の径方向が左右方向に対して４５°程度傾斜した状態では、命釘間に至るパチンコ球Ｐが入賞孔６に入る場合もあるが、跳ね返される確率の方が高く、さらに下方向に回すと、傾斜角が９０°に近づくにつれて命釘間の間隔が徐々に広がり、パチンコ球Ｐが入賞孔６に入りやすくなる。
【００５３】
図２１では、命釘として、通常釘１´を左側に配置し、楕円釘１を右側に配置した構成を示しているが、通常釘１´を右側に配置し、楕円釘１を左側に配置したような構成であってもよい。
図２２は、命釘として２本の楕円釘１を配置した状態を示す正面図である。このように、２本の命釘をいずれも楕円釘１とすれば、左右の楕円釘１を回し調整することにより、図２１のように一方の命釘を楕円釘１とするような構成と比較して、パチンコ球Ｐの入賞孔６への入りやすさをより幅広く（より高い自由度で）調整できる。
【００５４】
図２２に示す状態ように、左側の楕円釘１の最大径φＤ２の径方向が上下方向に沿っており、右側の楕円釘１の最大径φＤ２の径方向が上下方向に対して９０°傾斜した状態（左右方向に沿った状態）では、矢印８１ｂで示す流れでパチンコ球Ｐが命釘間に至った場合には、パチンコ球Ｐが入賞口６に入る確率が高いが、矢印８１ａで示す流れでパチンコ球Ｐが命釘間に至った場合には、パチンコ球Ｐが入賞口６に入る確率が低い。
【００５５】
図２２に示す状態から、左側の楕円釘１を矢印７の左方向に回し、この左側の楕円釘１の最大径φＤ２の径方向が上下方向に対して３０°〜４５°程度傾斜した状態とし、右側の楕円釘１を矢印７の上方向に回し、この右側の楕円釘１の最大径φＤ２の径方向が左右方向に対して３０°〜４５°程度傾斜した状態として、２本の命釘を逆ハ字状に配置すれば、パチンコ球Ｐが矢印８１ａまたは矢印８１ｂのいずれの流れで命釘間に至った場合でも、パチンコ球Ｐが入賞口６に入る確率が高い。逆に、２本の命釘をハ字状に配置すれば、パチンコ球Ｐが矢印８１ａまたは矢印８１ｂのいずれの流れで命釘間に至った場合でも、パチンコ球Ｐが入賞口６に入る確率が低くなる。
【００５６】
図２０で説明したように、命釘間に至るパチンコ球Ｐの流れは、天釘の配置により矢印８１ａまたは矢印８１ｂとなるので、矢印８１ａのパチンコ球Ｐの流れが多い場合は、主に右側の楕円釘１を回し調整し、矢印８１ｂのパチンコ球Ｐの流れが多い場合は、主に左側の楕円釘１を回し調整することにより、パチンコ球Ｐの入賞孔６への入りやすさを良好に調整できる。矢印８１ａのパチンコ球Ｐの流れと、矢印８１ｂのパチンコ球Ｐの流れとが同程度である場合には、左右の楕円釘１を回し調整することにより、パチンコ球Ｐの入賞孔６への入りやすさを良好に調整できる。
【００５７】
左右の楕円釘１の最大径φＤ２の径方向を、いずれも上下方向に対して９０°傾斜した状態（左右方向に沿った状態）とすれば、命釘間の間隔が最も狭くなり、パチンコ球Ｐが入賞口６に入る確率が最も低くなる。
また、左右の楕円釘１の最小径φＤ１を大きくすれば、パチンコ球Ｐが入賞口６に入る確率が低くなり、左右の楕円釘１の最小径φＤ１を小さくすれば、パチンコ球Ｐが入賞口６に入る確率が高くなる。楕円釘１の最大径φＤ２は、最小径φＤ１より約０．１〜０．７ｍｍ大きいことが好ましく、φＤ１＋０．１ｍｍ≦φＤ２≦φＤ１＋０．３ｍｍであればより好ましい。
【００５８】
図２３は、命釘として２本の楕円釘１を配置し、命釘の上方に楕円釘１と通常釘１´とが組み合わせられた複数の釘をハ字状に配置した状態を示す正面図である。
図２３では、命釘の上方には、左右両側に複数の釘がハの字下広がり状に配置されており、左側の複数本のうちの最上部の２本、および右側の複数本のうちの最上部の２本が楕円釘１であり、それ以外の釘は通常釘１´である。左側の複数本の釘のうちの最下部の通常釘１´と左側の命釘（楕円釘１）との間、および右側の複数本の釘のうちの最下部の通常釘１´と右側の命釘（楕円釘１）との間には、それぞれ、パチンコ球Ｐが、かなり通過できやすい間隔が空けられている。
【００５９】
最上部の左右の楕円釘１（１番目の楕円釘１）は、逆ハ字状に回し調整され、これらの楕円釘１間をパチンコ球Ｐが通過しやすくなっている。これらの楕円釘１の下方に配置された左右の楕円釘１（２番目の楕円釘１）は、左側の楕円釘１の最大径φＤ２の径方向が上下方向に沿っており、右側の楕円釘１の最大径φＤ２の径方向が左右方向に沿っている。したがって、１番目の楕円釘１間を通過したパチンコ球Ｐは、２番目の楕円釘１のうち右側の楕円釘１に当たりやすく、したがって、パチンコ球Ｐが矢印８２の方向に流れやすい。この場合、図２３に示すように命釘を逆ハ字状に配置して、命釘間に至るパチンコ球Ｐを入賞孔６に入りやすくしても、パチンコ球Ｐが命釘間に至る確率が低いので、入賞孔６に入る確率は低い。２番目の楕円釘１間を通過するときのパチンコ球Ｐの流れの変化が小さく、矢印８２ａのような方向に流れた場合でも、そのパチンコ球Ｐは左側の命釘（楕円釘１）に当たって跳ね返される確率が高く、入賞孔６に入る確率は低い。
【００６０】
２番目の楕円釘１において、左側の楕円釘１を最大径φＤ２の径方向が左右方向に沿うように配置し、右側の楕円釘１を最大径φＤ２の径方向が上下方向に沿うように配置すれば、パチンコ球Ｐの流れは上記と逆（矢印８２´の方向）になる。
１番目の楕円釘１を逆ハ字状に配置し、２番目の楕円釘１を逆ハ字状に配置すれば、これらの楕円釘１間を通過するパチンコ球Ｐを鉛直下方向に流れやすくすることができるので、入賞孔６にパチンコ球Ｐが入りやすい。また、１番目の楕円釘１および２番目の楕円釘１をすべて、それらの最大径φＤ２の径方向が上下方向に沿うように配置すれば、１番目の楕円釘１間の間隔、および２番目の楕円釘１間の間隔がいずれも最も大きくなるので、これらの楕円釘１間をパチンコ球Ｐが通過しやすくなり、入賞孔６にパチンコ球Ｐが入りやすい。一方、図２２で説明したのと同様の態様で、１番目の楕円釘１間の間隔、および２番目の楕円釘１間の間隔が小さくなるように回し調整を行えば、これらの楕円釘１間をパチンコ球Ｐが通過しにくくなり、入賞孔６にパチンコ球Ｐが入りにくくなる。
【００６１】
この実施形態では、入賞孔６にはチューリップ役物が配置されていないが、入賞孔６にチューリップ役物を配置し、このチューリップ役物の開閉により入賞孔６へのパチンコ球Ｐの入りやすさが変化するような構成となっていてもよい。
この発明は、以上の実施形態の内容に限定されるものではなく、請求項記載の範囲内において種々の変更が可能である。
【図面の簡単な説明】
【００６２】
【図１】本発明の第１の実施形態に係る楕円釘の側面図である。
【図２】図１のＡ−Ａ断面図である。
【図３】図１のＢ−Ｂ断面図である。
【図４】平切溝の変形例を示す断面図である。
【図５】釘調整具を示すレンチの平面図である。
【図６】該釘調整具を示すレンチの側面図である。
【図７】該釘調整具を示すレンチが楕円釘の平切溝に挿入嵌合された状態を示す側面図であって、その一部を断面図で示している。
【図８】レンチの第１変形例を示す側面図であって、その一部を断面図で示している。
【図９】レンチの第２変形例を示す側面図であって、その一部を断面図で示している。
【図１０】楕円釘の平切溝にレンチの溝を挿入嵌合し、回し調整を行う態様を示す正面図である。
【図１１】ゲージ盤にブッシュを埋め込み、このブッシュに楕円釘を挿入嵌合した構成を示す断面図である。
【図１２】図１１の矢印Ｆ−Ｆに沿って見たツマミの背面図である。
【図１３】ゲージ盤に埋込金具を埋め込み、この埋込金具に楕円釘を挿入嵌合した構成を示す断面図である。
【図１４】埋込金具の正面図である。
【図１５】ネジタップにねじ込んだ楕円釘の緩み止めの態様を示す埋込金具の正面図である。
【図１６】モータを用いて楕円釘の回し調整を行う構成を示す断面図である。
【図１７】モータおよびギアを用いて楕円釘の回し調整を行う構成を示す背面図である。
【図１８】楕円釘の変形例を示す側面図である。
【図１９】楕円釘の平切溝を遊技者が前方側から見ようとしたときの遊技者の目と平切溝との位置関係を示す側面図である。
【図２０】本発明の第２の実施形態に係る楕円釘のゲージ盤に対する配置態様を示す正面図である。
【図２１】命釘として楕円釘および通常釘を配置した状態を示す正面図である。
【図２２】命釘として２本の楕円釘を配置した状態を示す正面図である。
【図２３】命釘として２本の楕円釘を配置し、命釘の上方に楕円釘と通常釘とが組み合わせられた複数の釘をハ字状に配置した状態を示す正面図である。
【図２４】従来のパチンコ機用釘の一例を示す側面図である。
【符号の説明】
【００６３】
１  楕円釘
１´  通常釘
２  レンチ
２ａ，２ｂ  溝
２ｃ  傾斜部
２ｄ  段差
３  ゲージ盤
５  埋込金具
５ａ  ローレット
１１  軸部
１１ａ  中間部
１２  釘先部
１３，１３ａ，１３ｂ  平切溝
１５  頭部
１６  ツマミ
３１  凹部
Ｍ  モータ
【図１】
2006068447.tif 000003
【図２】
2006068447.tif 000004
【図３】
2006068447.tif 000005
【図４】
2006068447.tif 000006
【図５】
2006068447.tif 000007
【図６】
2006068447.tif 000008
【図７】
2006068447.tif 000009
【図８】
2006068447.tif 000010
【図９】
2006068447.tif 000011
【図１０】
2006068447.tif 000012
【図１１】
2006068447.tif 000013
【図１２】
2006068447.tif 000014
【図１３】
2006068447.tif 000015
【図１４】
2006068447.tif 000016
【図１５】
2006068447.tif 000017
【図１６】
2006068447.tif 000018
【図１７】
2006068447.tif 000019
【図１８】
2006068447.tif 000020
【図１９】
2006068447.tif 000021
【図２０】
2006068447.tif 000022
【図２１】
2006068447.tif 000023
【図２２】
2006068447.tif 000024
【図２３】
2006068447.tif 000025
【図２４】
2006068447.tif 000026